(57)【要約】【課題】大きな操作力を必要としない容易な操作をほぼ連続的に繰り返して短時間でバインド線の取り付けまたは取り外しを行うことができるバインド線着脱用工具およびそのバインド線着脱用工具を用いたバインド線着脱方法を提供する。【解決手段】絶縁操作棒１と、この絶縁操作棒１の先端部に固着された着脱操作部材２とを備える。着脱操作部材２は、絶縁操作棒１に固着された基部３と、絶縁操作棒１に対し直交する軸心回りに回動自在に基部３に設けられて、バインド線１３が巻き付けられる高圧線１２に掛け止めされる支持フック部９と、支持フック部９から突設されて、支持フック部９の高圧線１２回りの回動時にバインド線１３に対し高圧線１２への巻き付け方向または該巻き付け方向とは逆方向に強制的にねじ向けるよう作用する梃子軸体部１０とを備えている。【選択図】      図５
2004153900.tif 000002
【特許請求の範囲】
【請求項１】
絶縁操作棒と、この絶縁操作棒の先端部に固着された着脱操作部材とを備えてなり、
前記着脱操作部材は、
前記絶縁操作棒に固着された基部と、
前記絶縁操作棒に対し直交する軸心回りに回動自在に前記基部に設けられて、バインド線が巻き付けられる高圧線に掛け止めされる支持フック部と、
前記支持フック部から突設されて、該支持フック部の前記高圧線回りの回動時に前記バインド線に対し前記高圧線への巻き付け方向または該巻き付け方向とは逆方向に強制的にねじ向けるよう作用する梃子軸体部とを備えていることを特徴とするバインド線着脱用工具。
【請求項２】
絶縁操作棒に対し直交する軸心回りで、且つ自由回転を規制する程度の軽い負荷が付与された状態で基部に回転自在に設けられた回動部を有し、
前記回動部に、前記絶縁操作棒と平行な配置で支持フック部と梃子軸体部とが連結され、
前記支持フック部に、高圧線の外径に対応した曲率半径で湾曲されて前記高圧線をこれの回りに回動可能に嵌め入れる回動支持部が設けられ、
前記梃子軸体部の先端部に、先鋭形状のこじ入れ部が形成されている請求項１に記載のバインド線着脱用工具。
【請求項３】
高圧線に巻き付け状態のバインド線を請求項２に記載のバインド線着脱用工具を用いて取り外すに際して、
梃子軸体部のこじ入れ部を前記高圧線と前記バインド線の端部との隙間にこじ入れたのちに、絶縁操作棒の操作で回動部を介し前記梃子軸体部を前記高圧線を支点として回動させることにより、前記梃子軸体部で前記バインド線の端部を前記高圧線から引き外す工程と、
支持フック部の回動支持部内に前記高圧線を嵌め入れた状態で着脱操作部材を前記バインド線の端部側から前記高圧線への巻き付け側に移動させて、前記梃子軸体部を高圧線とバインド線との間に挿入する配置としたのち、前記絶縁操作棒の操作で前記高圧線を支点として支持フック部を回動させることにより、前記梃子軸体部によって前記バインド線の前記高圧線へのほぼ１ターンの巻き付け分だけ取り外す工程と、
前記回動支持部内に前記高圧線を嵌め入れた状態を保持しながら前記着脱操作部材の高圧線に沿った移動操作および前記高圧線回りの回動操作を所要回数繰り返す工程とを有し、
前記バインド線を前記高圧線へ巻き付け状態に取り付けるに際して、前記取り外し時の工程を逆の手順で行うようにすることを特徴とするバインド線着脱用工具を用いたバインド線着脱方法。
【発明の詳細な説明】
【０００１】
【発明の属する技術分野】
本発明は、高圧線に巻き付けた状態でその高圧線を高圧ピン碍子に固定するためのバインド線の高圧線に対する取り付けまたは取り外しの用途に用いるバインド線着脱用工具およびそのバインド線着脱用工具を用いてバインド線を好適に取り付けまたは取り外すことのできるバインド線着脱方法に関するものである。
【０００２】
【従来の技術】
一般に、高圧線をバインド線によって高圧ピン碍子に固定する工事または劣化したバインド線を新たなものに取り替える工事を行うに際しては、既設架線である高圧線に電源を供給した活線状態で行われている。なぜならば、高圧線を高圧ピン碍子に固定する箇所の電源供給側回路を遮断した状態で工事を行うと、その工事中に広範囲の電力需要者に停電の影響が及ぶからである。従来では、上述の工事に際し高圧ゴム手袋や絶縁用上衣などの絶縁用保護具を着用して、活線状態の高圧充電部に直接触れて作業を行う直接活線作業を行っていたが、この直接活線作業は、停電状態としての作業に比べて若干の危険を伴うことや、天候に左右され易い。
【０００３】
そこで、近年では、活線状態の高圧線に対して絶縁操作工具を用いた遠隔操作による間接作業でバインド線を巻き付けまたは取り外す、いわゆる「ホットスティック工法」が採用されている。この「ホットスティック工法」によるバインド線の着脱工事に際しては、リング状フック部と端末起こし部とを有する着脱操作部材が絶縁操作棒の先端に固着されてなるバインド線着脱用工具が採用されている。
【０００４】
上記バインド線着脱用工具を用いたバインド線の例えば取り外し工事は、端末起こし部をバインド線の端部と高圧線との間にこじ入れたのち、端末起こし部を回動させるように絶縁操作棒を操作することにより、バインド線の端部を高圧線への巻き付け方向とは逆方向に引き外して、その引き外したバインド線の端部をリング状フック部内に挿通させたのち、リング状フック部をバインド線の高圧線への巻き付け方向とは逆方向に回動させるように絶縁操作棒を操作する作業を繰り返す手順で行われる。一方、バインド線を高圧線に巻き付けて取り付ける場合には、上述の取り外し時と逆の手順で行われる。
【０００５】
【発明が解決しようとする課題】
しかしながら、上記バインド線着脱用工具は、バインド線を内部に挿通させたリング状フック部を高圧線の周囲に沿って回す操作を繰り返すようにするものであるから、リング状フック部を高圧線の回りに約１回転する毎にリング状フック部をバインド線から引き出し、その引き出し位置から高圧線に対し反対側に着脱操作部材を移したのちに、再びリング状フック部にバインド線を挿通させ、着脱操作部材を高圧線の周囲に沿って回動させる操作を繰り返さなければならない。すなわち、上記バインド線着脱用工具では、着脱操作部材をバインド線に対し係脱する操作を繰り返さなければならない。そのため、上記バインド線着脱用工具を用いたバインド線の取り付けまたは取り外しの作業には、非常に多くの時間を要するという欠点がある。
【０００６】
しかも、上記バインド線着脱用工具では、リング状フック部内にバインド線を単に挿入させただけであって、何れの部位も支持されない不安定な状態で着脱操作部材を高圧線回りに回動させるように絶縁操作棒を操作しなければならないので、大きな操作力を必要とするだけでなく、操作時にリング状フック部がバインド線に沿いながら滑り易いので、バインド線の端末を保護する端末キャップが外れるという不具合が生じることがある。
【０００７】
そこで、本発明は、上記従来の課題に鑑みてなされたもので、大きな操作力を必要としない容易な操作をほぼ連続的に繰り返して短時間でバインド線の取り付けまたは取り外しを行うことができるバインド線着脱用工具およびそのバインド線着脱用工具を用いてバインド線の取り付けまたは取り外しを好適に行うことがてきるバインド線着脱方法を提供することを目的とするものである。
【０００８】
【課題を解決するための手段】
上記目的を達成するために、本発明に係るバインド線着脱用工具は、絶縁操作棒と、この絶縁操作棒の先端部に固着された着脱操作部材とを備えてなり、前記着脱操作部材は、前記絶縁操作棒に固着された基部と、前記絶縁操作棒に対し直交する軸心回りに回動自在に前記基部に設けられて、バインド線が巻き付けられる高圧線に掛け止めされる支持フック部と、前記支持フック部から突設されて、該支持フック部の前記高圧線回りの回動時に前記バインド線に対し前記高圧線への巻き付け方向または該巻き付け方向とは逆方向に強制的にねじ向けるよう作用する梃子軸体部とを備えていることを特徴としている。
【０００９】
このバインド線着脱用工具では、支持フック部を掛け止め状態に係合させた高圧線を支点として、支持フック部を高圧線回りに回動させるように絶縁操作棒を操作することにより、支持フック部と一体に回動する梃子軸体部が、梃子の原理でバインド線を高圧線に対し巻き付け方向または巻き付け方向とは逆方向に強制的にねじ向けて、バインド線を高圧線に対し巻き付けまたは取り外すことができる。したがって、バインド線の着脱操作を、滑ったりするおそれなく安定に、且つ大きな操作力を要することなく容易に行うことができ、着脱操作中にバインド線から端末キャップが外れるといったおそれもない。また、支持フック部を高圧線に掛け止めした状態を常に保持しながら、着脱操作部材を高圧線に沿って摺動させる操作および高圧線を支点に回動させる操作を連続的に行うことができるとともに、上述の梃子軸体部を高圧線を支点とする梃子の原理で回動させることから、大きな操作力を必要とせずに容易、且つ円滑に操作できることと併せて、バインド線の取り付けまたは取り外し作業を短時間で行うことが可能となる。
【００１０】
上記発明において、絶縁操作棒に対し直交する軸心回りで、且つ自由回転を規制する程度の軽い負荷が付与された状態で基部に回転自在に設けられた回動部を有し、前記回動部に、前記絶縁操作棒と平行な配置で支持フック部と梃子軸体部とが連結され、前記支持フック部に、高圧線の外径に対応した曲率半径で湾曲されて前記高圧線をこれの回りに回動可能に嵌め入れる回動支持部が設けられ、前記梃子軸体部の先端部に、先鋭形状のこじ入れ部が形成されていることが好ましい。
【００１１】
この構成によれば、回動部によって着脱操作部材を梃子軸体部のこじ入れ部が所要の方向を向いた姿勢に設定保持した上で、梃子軸体部のこじ入れ部をバインド線の端部と高圧線との隙間にこじ入れた状態で、梃子軸体部を高圧線を支点として回動させることにより、別部材を用いることなくバインド線の端部を高圧線から容易に引き外すことができる。また、着脱操作部材を回動させるように絶縁操作棒を操作したときには、回動支持部が高圧線に対し嵌合状態で摺動しながらこれの回りに回動するので、着脱操作部材の回動操作を一層安定に、且つ円滑に行うことができ、操作性が格段に向上する。
【００１２】
本発明に係るバインド線着脱用工具を用いたバインド線着脱方法は、高圧線に巻き付け状態のバインド線を本発明に係るバインド線着脱用工具を用いて取り外すに際して、梃子軸体部のこじ入れ部を前記高圧線と前記バインド線の端部との隙間にこじ入れたのちに、絶縁操作棒の操作で回動部を介し前記梃子軸体部を前記高圧線を支点として回動させることにより、前記梃子軸体部で前記バインド線の端部を前記高圧線から引き外す工程と、支持フック部の回動支持部内に前記高圧線を嵌め入れた状態で着脱操作部材を前記バインド線の端部側から前記高圧線への巻き付け側に移動させて、前記梃子軸体部を高圧線とバインド線との間に挿入する配置としたのち、前記絶縁操作棒の操作で前記高圧線を支点として支持フック部を回動させることにより、前記梃子軸体部によって前記バインド線の前記高圧線へのほぼ１ターンの巻き付け分だけ取り外す工程と、前記回動支持部内に前記高圧線を嵌め入れた状態を保持しながら前記着脱操作部材の高圧線に沿った移動操作および前記高圧線回りの回動操作を所要回数繰り返す工程とを有し、前記バインド線を前記高圧線へ巻き付け状態に取り付けるに際して、前記取り外し時の工程を逆の手順で行うようにすることを特徴としている。
【００１３】
このバインド線着脱用工具を用いたバインド線着脱方法では、例えば、バインド線の取り外し作業において、最初に、梃子軸体部のこじ入れ部をバインド線の端部と高圧線との間にこじ入れたのち、梃子軸体部を高圧線を支点として回動させることにより、バインド線の端部を高圧線から引き外せば、以後、支持フック部の回動支持部内に高圧線を嵌め入れた状態を常に保持しながら、着脱操作部材を高圧線に沿って摺動させる操作および高圧線を支点に回動させる操作を連続的に繰り返し行うことができるとともに、絶縁操作棒に対し直交方向の軸心回りに回動する回動部を介して梃子軸体部を高圧線を支点とする梃子の原理で回動させるので、大きな操作力を必要とせずに容易、且つ円滑に操作することができるから、バインド線の取り外し作業を短時間で行うことが可能となり、しかも、取り外し作業を滑ったりすることなく安定に行えるので、バインド線の端末キャップが作業中に外れるといったおそれがない。
【００１４】
【発明の実施の形態】
以下、本発明の好ましい実施の形態について図面を参照しつつ詳細に説明する。図１は本発明の一実施の形態に係るバインド線着脱用工具を示す斜視図、図２（ａ）〜（ｃ）はそのバインド線着脱用工具における着脱操作部材を示す正面図、右側面図および一部破断した平面図である。このバインド線着脱用工具は、図１に示すように、絶縁操作棒１の先端部に着脱操作部材２が固着された構成になっている。
【００１５】
着脱操作部材２は、これの本体部分を構成する基部３と、この基部３から延設されて絶縁操作棒１の先端に固着された取付部４と、絶縁操作棒１に対し直交方向に配置された回転支軸８を介して基部３に回転自在に取り付けられた回動部７と、絶縁操作棒１と平行な配置で回動部７に一体回転するよう取り付けられた支持フック部９と、この支持フック部９の先端外面に固着された梃子軸体部１０と、基部３における回動部７は反対側に設けられた端末起こし部１１とを備えている。
【００１６】
上記支持フック部９には、後述する高圧線の外径に対応した曲率半径でほぼ半円状に湾曲された回動支持部９ａが形成されている。梃子軸体部１０の一端部には先鋭な形状となったこじ入れ部１０ａが形成されている。また、回動部７は、絶縁支持棒１に対し直交する回転支軸８回りに回転されるとともに、周知のボールプランジャ（図示せず）によって自由回転が規制される程度の軽い負荷が加えられ、且つ支持フック部９の回動支持部９ａが絶縁支持棒１の反対側方向で平行に位置する図１の図示姿勢に軽く仮固定される節動機能が付与されるている。
【００１７】
つぎに、上記バインド線着脱用工具を用いてバインド線を取り外す手順について説明する。図３に示すように、高圧線１２は、自体にバインド線１３が巻き付けられるとともに、そのバインド線１３の中央部に形成された掛止用湾曲部１３ａを高圧ピン碍子１４に掛け止めすることにより、高圧ピン碍子１４に固定されている。上記バインド線１３は、硬質金属線を例えばゴム製の絶縁部材で被覆したものであり、両端部が端末キャップ１７を取り付けて保護されている。このバインド線１３は、規定の耐用年数が経過したときに、新たなものと取り替えられる。既設のバインド線１３の取り外しに際しては、図３に図示するように、先ず、バインド線１３の一端部と高圧線１２との隙間に、梃子軸体部１０のこじ入れ部１０を挿入する。
【００１８】
上記作業に際しては、図４（ａ）に示すように、着脱操作部材２における梃子軸体部１０のこじ入れ部１０ａを上方に向けた姿勢とした上で、そのこじ入れ部１０ａを高圧線１２に対し高圧ピン碍子１４側から高圧線１２とバインド線１３の一端部との隙間に下方からこじ入れる。上記着脱操作部材２の梃子軸体部１０のこじ入れ部１０ａを上方を向けた姿勢は、この状態に仮固定できるようにボールプランジャで付勢されていることから、容易に設定できる。また、バインド線１３の一端部と高圧線１２との隙間が小さいことに起因して、上述のこじ入れ部１０ａを高圧線１２とバインド線１３の一端部との間にスムーズに挿入し難い場合には、端末起こし部１１を用いてバインド線１３の端部を高圧線１２から引き外す操作を行うことにより、高圧線１２とバインド線１３の一端部との間にこじ入れ部１０ａを円滑に挿入できる隙間を予め形成することが好ましい。
【００１９】
梃子軸体部１０をこれのこじ入れ部１０ａから高圧線１２とバインド線１３の一端部との隙間に挿入し終えたならば、図４（ａ）にＡ矢印で示すように、着脱操作部材２を高圧線１２の下方を通って高圧ピン碍子１４とは反対側（図の手前側）に向け回動させるように絶縁操作棒１を操作する。このとき、絶縁支持棒１に対し直交方向に位置する回転支軸８回りに回転自在に設けられている梃子軸体部１０は、強固に張設された高圧線１２を支点して、梃子の原理で高圧線１２回りに円滑に回動されながら、図４（ｂ）に実線で図示するように、バインド線１２の一端部を、これの高圧線１２への巻き付け方向とは逆方向に強制的にねじ向けて、高圧線１２から取り外す。着脱操作部材２が図４（ｂ）の実線位置から２点鎖線位置まで回動されたときには、バインド線１３が、同図に２点鎖線で示すように、高圧線１２に対するほぼ１ターンの巻き付け分だけ取り外される。
【００２０】
なお、上述の着脱操作部材２を高圧線１２の下方を通って高圧ピン碍子１４とは反対側に移動させているのは、この図示例において、そのときの梃子軸体部１０の回動方向がバインド線１３の高圧線１２への巻き付け方向とは逆方向になるからである。要するに、梃子軸体部１０はバインド線１３の高圧線１２への巻き付け方向とは逆方向となる向きに回動させればよい。
【００２１】
バインド線１３が高圧線１２に対するほぼ１ターンの巻き付け分だけ取り外されたときには、着脱操作部材２が、図４（ｂ）に２点鎖線で示すように、基部３の下方に支持フック部９および梃子軸体部１０が位置する姿勢で高圧ピン碍子１４とは反対側（図の手前側）における高圧線１２の上方まで移動した配置となっているので、つぎに、着脱操作部材２の姿勢を、バインド線１３の取り外し作業を継続できる姿勢に変更する。
【００２２】
すなわち、着脱操作部２は、バインド線１３の高圧線１２に対するほぼ１ターンの巻き付け分だけ取り外し終えたときの図４（ｂ）の２点鎖線の姿勢のままで、バインド線１３の一端部から僅かに離れる位置（図の左方側の位置）まで一旦退避される。続いて、絶縁操作棒１による操作により、図５（ａ）に２点鎖線で示すように、着脱操作部材２を高圧線１２の下方を通って高圧ピン碍子１４側（図の向こう側）に戻したのち、支持フック部９の回動支持部９ａ内に高圧線１２を嵌め入れる状態とする。したがって、着脱操作部材２を図４（ｂ）の２点鎖線の図示位置から図５（ａ）の２点鎖線の図示位置に配置替えするときには、着脱操作部材２の姿勢を変える操作を行う必要がなく、着脱操作部材２を高圧線に対し高圧ピン碍子１４側へ向けて高圧線１２の下方側を通して変位させるように絶縁操作棒１を操作するだけでよい。
【００２３】
図５（ａ）の２点鎖線の図示位置に配置した着脱操作部材２は、絶縁支持棒１の操作により、支持フック部９の回動支持部９ａを高圧線１２に沿って摺動させながらＢ矢印方向に向け移動させて、図５（ａ）に実線で示すように、上記回動支持部９ａがバインド線１３における高圧線１２への巻き付け端部と高圧線１２との間に当接するまで挿入する。この状態で、図５（ｂ）に示すように、回動支持部９ａ内に嵌め入れている高圧線１２を支点として、回動部７を介し支持フック部９を回転させるように絶縁操作棒１を操作することにより、着脱操作部材２を高圧線１２に対し高圧ピン碍子１４とは反対側へ向けて高圧線１２の下方を通る回動軌跡で回動させる。このとき、支持フック部９と一体回動する梃子軸体部１０は、バインド線１３を高圧線１２への巻き付け方向とは逆方向に強制的にねじ向けていく。
【００２４】
上述の絶縁操作棒１の操作は、支持フック部９の回動支持部９ａに嵌め入れた高圧線１２を支点とし、且つ梃子軸体部１０を梃子の原理で高圧線１２からバインド線１３を取り外すように作用させることから、滑ったりするおそれなく安定に、且つ大きな操作力を要することなく容易に行うことができる。
【００２５】
着脱操作部材２の回動過程である図５（ｂ）の図示位置は、図６（ａ）の２点鎖線での図示位置と同じであり、その図６（ａ）の２点鎖線の図示位置から矢印方向に向け実線の図示位置まで着脱操作部材２を回動させると、バインド線１３が高圧線１２から１ターンの巻き付け分だけさらに取り外される。以後、図５（ａ），（ｂ）および図６（ａ）で説明した操作を所要回数繰り返す。
【００２６】
すなわち、着脱操作部２は、図６（ａ）に実線で図示する姿勢のままで回動支持部９ａを高圧線１２に沿って摺動させながら、バインド線１３の一端部から僅かに離れる位置まで一旦退避される。続いて、支持フック部９の回動支持部９ａに嵌め入れた状態の高圧線１２を支点として着脱操作部材２を高圧線１２に対しこれの下方を通って反対側に回動させるように絶縁操作棒１を操作する。このとき、回動支持部９ａは高圧線１２に対し摺動しながらこれの回りに回動して、着脱操作部材２の基部３が高圧線１２に対し高圧ピン碍子１４側の位置に再び戻され、図６（ｂ）に２点鎖線で示す姿勢となる。
【００２７】
上記２点鎖線の図示位置の着脱操作部材２は、矢印で示すように、支持フック部９の回動支持部９ａを高圧線１２に沿って摺動させながら矢印方向に移動され、且つ梃子軸体部１０を取り外し済みのバインド線１３と高圧線１２との間に挿入させて、図６（ｂ）に実線で示すように、上記回動支持部９ａがバインド線１３における高圧線１２への巻き付け端部と高圧線１２との間に当接するまで挿入する。この状態で、上述と同様に、回動支持部９ａ内に嵌め入れた高圧線１２を支点として、回動部７を介し支持フック部９を回動させるように絶縁操作棒１を操作することにより、着脱操作部材２を高圧線１２に対し高圧ピン碍子１４とは反対側へ向けて高圧線１２の下方を通る回動軌跡で回動させる。このとき、支持フック部９と一体回転する梃子軸体部１０は、バインド線１３を高圧線１２への巻き付け方向とは逆方向に強制的にねじ向けていき、バインド線１３の高圧線１２に対する１ターンの巻き付け分だけ取り外される。
【００２８】
上述の操作を繰り返して、バインド線１３における掛止用湾曲部１３ａの手前までの部分を高圧線１２から取り外したならば、バインド線１３の掛止用湾曲部１３ａに対し他端側の半分を、上述と同様の作業を行うことによって取り外す。最後に、バインド線１３の掛止用湾曲部１３ａを高圧ピン碍子１４から抜き取れば、バインド線１３の取り外し作業が終了する。
【００２９】
上記バインド線着脱用工具を用いたバインド線１３の取り外し作業では、最初に、梃子軸体部１０のこじ入れ部１０ａをバインド線１３の端部と高圧線１２との間にこじ入れたのち、梃子軸体部１０を高圧線１２を支点として回転させることにより、バインド線１３の端部を高圧線１２から引き外せば、以後、支持フック部９の回動支持部９ａ内に高圧線１２を嵌め入れた状態を常に保持しながら、着脱操作部材２を高圧線１２に沿って摺動させる操作および高圧線１２を支点に回動させる操作を連続的に行うことができるとともに、絶縁操作棒１に対し直交方向の軸心回りに回動する回動部７を介して梃子軸体部１０を高圧線１２を支点とする梃子の原理で回動させることから、大きな操作力を必要とせずに容易、且つ円滑に操作することができるので、バインド線１３の取り外し作業を短時間で行うことが可能となる。しかも、取り外し作業を滑ったりすることなく安定に行えることから、バインド線１３の端末キャップ１７が取り外し作業中に外れるといったおそれがない。
【００３０】
なお、新たなバインド線１３の掛止用湾曲部１３ａを高圧ピン碍子１４に掛け止めしたのち、そのバインド線１３を高圧線１２に巻き付けて、高圧線１２をバンイド線１３を介し高圧ピン碍子１４に固定する作業は、上述したバインド線１３の取り外し作業をこれの逆の手順で行う。このとき、新たに取り付けるべきバインド線１３は、高圧線１２への巻き付け形状に対応した螺旋状に予め屈曲形成されている。したがって、新たなバインド線１３の掛止用湾曲部１３ａを高圧ピン碍子１４に掛け止めしたのち、そのバインド線１３を、掛止用湾曲部１３ａの近傍個所から端部に向かい梃子軸体部１０によって高圧線１２への巻き付け方向に強制的にねじ向けていくことにより、高圧線１２に巻き付け状態に取り付けることができる。このバインド線１３を高圧線１２に巻き付け状態に取り付ける際にも、上述した取り付け時と全く同様の効果を得ることができるのは言うまでもない。
【００３１】
【発明の効果】
以上のように本発明のバインド線着脱用工具によれば、支持フック部を掛け止め状態に係合させた高圧線を支点として、支持フック部を高圧線回りに回動させるように絶縁操作棒を操作することにより、支持フック部と一体に回動する梃子軸体部が、梃子の原理でバインド線を高圧線に対し巻き付け方向または巻き付け方向とは逆方向に強制的にねじ向けて、バインド線を高圧線に対し巻き付けまたは取り外すことができる。したがって、バインド線の着脱操作を、滑ったりするおそれなく安定に、且つ大きな操作力を要することなく容易に行うことができ、着脱操作中にバインド線から端末キャップが外れるといったおそれもない。また、支持フック部を高圧線に掛け止めした状態を常に保持しながら、着脱操作部材を高圧線に沿って摺動させる操作および高圧線を支点に回動させる操作を連続的に行うことができるから、バインド線の取り付けまたは取り外し作業を短時間で行うことが可能となる。
【００３２】
また、本発明のバインド線着脱用工具を用いたバインド線着脱方法によれば、例えば、バインド線の取り外し作業において、最初に、梃子軸体部のこじ入れ部をバインド線の端部と高圧線との間にこじ入れたのち、梃子軸体部を高圧線を支点として回動させることにより、バインド線の端部を高圧線から引き外せば、以後、支持フック部の回動支持部内に高圧線を嵌め入れた状態を常に保持しながら、着脱操作部材を高圧線に沿って摺動させる操作および高圧線を支点に回動させる操作を連続的に行うことができるので、バインド線の取り外し作業を短時間で行うことが可能となる。また、絶縁操作棒に対し直交方向の軸心回りに回動する回動部を介して梃子軸体部を高圧線を支点とする梃子の原理で回動させるので、大きな操作力を必要とせずに容易、且つ円滑に操作することができるから、取り外し作業を滑ったりすることなく安定に行えるので、バインド線の端末キャップが取り外し作業中に外れるといったおそれがない。
【図面の簡単な説明】
【図１】本発明の一実施の形態に係るバインド線着脱用工具を示す斜視図。
【図２】（ａ）〜（ｃ）はそれぞれ同上のバインド線着脱用工具における着脱部材を示す正面図、右側面図および一部破断した平面図。
【図３】同上のバインド線着脱用工具を用いてバインド線を取り外すときの最初の工程を示す斜視部。
【図４】（ａ），（ｂ）はそれぞれ同上のバインド線を取り外すときの最初の工程でのバインド線の端部を高圧線から外す操作手順を順に示した斜視図。
【図５】（ａ），（ｂ）は図４に続く工程の操作手順を順に示した斜視図。
【図６】（ａ），（ｂ）は図５に続く工程の操作手順を順に示した斜視図。
【符号の説明】
１  絶縁操作棒
２  着脱操作部材
３  基部
７  回動部
９  支持フック部
９ａ  回動支持部
１０  梃子軸体部
１０ａ  こじ入れ部
１２    高圧線
１３  バインド線
【図１】
2004153900.tif 000003
【図２】
2004153900.tif 000004
【図３】
2004153900.tif 000005
【図４】
2004153900.tif 000006
【図５】
2004153900.tif 000007
【図６】
2004153900.tif 000008